(57)【要約】【課題】再生時および録音時において音質の改善を図ることができる音響システムおよび音響システム用蓄電装置を提供する。【解決手段】商用電源２からの交流電力が供給される分電盤３と、分電盤３から供給された交流電力を直流電力に変換し、変換した直流電力を蓄電池に蓄電し、蓄電池に蓄電されている直流電力を交流電力に変換する蓄電装置４と、蓄電装置４から交流電力が供給される第１コンセント５と、第１コンセント５から供給された電力に基づいて駆動する第１負荷６とを備え、蓄電装置４は、蓄電池４５に所定の電力が蓄電されている場合には、蓄電池４５に蓄電されている電力を第１負荷６に供給する。【選択図】図１
2017211919.tif 000002
【特許請求の範囲】
【請求項１】
商用電源からの交流電力が供給される分電盤と、
前記分電盤から供給された交流電力を直流電力に変換し、変換した直流電力を蓄電池に蓄電し、前記蓄電池に蓄電されている直流電力を交流電力に変換する蓄電装置と、
前記蓄電装置から交流電力が供給されるコンセントと、
前記コンセントから供給された電力に基づいて動作する音響装置とを備え、
前記蓄電装置は、前記蓄電池に所定の電力が蓄電されている場合には、前記蓄電池に蓄電されている電力を前記音響装置に供給することを特徴とする音響システム。
【請求項２】
前記蓄電装置は、
前記分電盤から供給された交流電力が入力される入力部と、
前記入力部から入力された交流電力を直流電力に変換する第１変換部と、
前記蓄電池に蓄電された直流電力を交流電力に変換する第２変換部と、
前記第２変換部で変換された交流電力を前記コンセントに出力する出力部とを備えることを特徴とする請求項１記載の音響システム。
【請求項３】
前記蓄電装置から前記コンセントに供給される交流電力の電圧値と周波数は、前記商用電源から供給される交流電力の電圧値と周波数と同一の範囲内であることを特徴とする請求項１または２記載の音響システム。
【請求項４】
前記蓄電装置は、前記蓄電池に所定の電力が蓄電されていない場合には、前記商用電源から供給された電力を前記コンセントに供給することを特徴とする請求項１から３の何れか一項に記載の音響システム。
【請求項５】
前記蓄電装置は、前記蓄電池に所定の電力が蓄電されていない場合には、前記コンセントに電力を供給しないことを特徴とする請求項１から３の何れか一項に記載の音響システム。
【請求項６】
前記蓄電池は、正極材料がリン酸鉄リチウムにより構成され、かつ、負極材料がグラファイトにより構成されていることを特徴とする請求項１から５の何れか一項に記載の音響システム。
【請求項７】
前記蓄電装置は、前記第２変換部と前記出力部との間に高周波信号を阻止する高周波阻止部を備えることを特徴とする請求項２から６の何れか一項に記載の音響システム。
【請求項８】
前記第１変換部および前記第２変換部は、パワーコンディショナーにより構成されることを特徴とする請求項２から７の何れか一項に記載の音響システム。
【請求項９】
前記コンセントは、前記負荷である音響装置に接続される専用のコンセントであることを特徴とする請求項１から８の何れか一項に記載の音響システム。
【請求項１０】
分電盤から供給された交流電力が入力される入力部と、
前記入力部から入力された交流電力を直流電力に変換する第１変換部と、
前記第１変換部で変換された直流電力を蓄電する蓄電池と、
前記蓄電池に蓄電された直流電力を交流電力に変換する第２変換部と、
前記第２変換部で変換された交流電力をコンセントに出力する出力部とを備えることを特徴とする音響システム用蓄電装置。
【発明の詳細な説明】
【技術分野】
【０００１】
本発明は、電力供給して作動するアンプ等の音響機器で構成される音響システムおよび音響装置に電力を供給する音響システム用蓄電装置に関する。
【背景技術】
【０００２】
現在、複数の部屋を有する住宅内などにおいては、屋内配線を介して各部屋に設けられた複数のコンセントに交流電力（ＡＣ）が供給されている。各種の電気機器（テレビ、冷蔵庫、エアコン等）は、プラグをコンセントに接続し、コンセントから電源線を介して電気機器内に供給された交流電力を直流電力（ＤＣ）に変換し、変換した直流電力を利用して動作する。
【０００３】
これらの電気機器には、インバータやマイコンなどの高周波ノイズを発生する部品を搭載しているものがある。ある電気機器から発生した高周波ノイズが屋内配線を介してコンセントに伝送される場合がある。このような場合において、コンセントに電気機器のプラグを接続すると、電源線を介して高周波ノイズが伝送され、電気機器に影響を及ぼすことがある。
【０００４】
特に、電気機器が音響装置（アンプ、スピーカ、マイクなど）であった場合、コンセントに接続したプラグを介して高周波ノイズが音響装置に伝送されてしまい、再生時および録音時に音響装置の動作が高周波ノイズの影響を受けてしまう問題がある。
【先行技術文献】
【特許文献】
【０００５】
【特許文献１】特開２００６−０９４６７７号公報
【発明の概要】
【発明が解決しようとする課題】
【０００６】
上記問題を解決するために、特許文献１には、電気機器が作動するときに、重要な期間（再生時等）においては充電部で充電されていた電力を利用し、重要でない期間においては商用電源に基づく電力を利用する技術が開示されている。
【０００７】
ところで、音響装置による再生時および録音時において、さらに高周波ノイズの影響を低減させて音質の改善を図りたい要望がある。特許文献１では、電気機器として高周波ノイズの影響を考慮した前述の技術が適用された電気機器をあらためて用意する必要が生ずることとなる。特に、複数の電気機器を用いて再生や録音を行う必要がある場合には容易に対処することができない。また、特許文献１では、内部に被充電媒体を有する電気機器が対象であるため、機器内に収まる被充電媒体では放電できる電力量を多く確保することが容易ではない。そのため、重要な期間を検出してその期間は充電された被充電媒体から電力を供給するようにしているものである。このため、長時間の録音など、重要な期間が長時間に及ぶ場合には被充電媒体からの電力供給が行えなくなることとなる。
【０００８】
本発明では、高周波ノイズが住宅の各部屋に設けられるコンセントに伝送される環境において、再生時および録音時において音質の改善を図ることができる音響システムおよび音響システム用蓄電装置を提供することを目的とする。
【課題を解決するための手段】
【０００９】
上記目的を達成するために、本発明の一態様における音響装置は、商用電源からの交流電力が供給される分電盤と、前記分電盤から供給された交流電力を直流電力に変換し、変換した直流電力を蓄電池に蓄電し、前記蓄電池に蓄電されている直流電力を交流電力に変換する蓄電装置と、前記蓄電装置から交流電力が供給されるコンセントと、前記コンセントから供給された電力に基づいて動作する音響装置とを備え、前記蓄電装置は、前記蓄電池に所定の電力が蓄電されている場合には、前記蓄電池に蓄電されている電力を前記音響装置に供給する。
【００１０】
また、発明の一態様における音響システムでは、前記蓄電装置は、前記分電盤から供給された交流電力が入力される入力部と、前記入力部から入力された交流電力を直流電力に変換する第１変換部と、前記蓄電池に充電された直流電力を交流電力に変換する第２変換部と、前記第２変換部で変換された交流電力を前記コンセントに出力する出力部とを備える構成でもよい。
【００１１】
また、発明の一態様における音響システムでは、前記蓄電装置から前記コンセントに供給される交流電力の電圧値と周波数は、前記商用電源から供給される交流電力の電圧値と周波数と同一の範囲内であってもよい。
【００１２】
また、発明の一態様における音響システムでは、前記蓄電装置は、前記蓄電池に所定の電力が蓄電されていない場合には、前記分電盤から供給された電力を前記コンセントに供給する構成でもよい。
【００１３】
また、発明の一態様における音響システムでは、前記蓄電装置は、前記蓄電池に所定の電力が蓄電されていない場合には、前記コンセントに電力を供給しない構成でもよい。
【００１４】
また、発明の一態様における音響システムでは、前記蓄電池は、正極材料がリン酸鉄リチウムにより構成され、かつ、負極材料がグラファイトにより構成されていてもよい。
【００１５】
また、発明の一態様における音響システムでは、前記蓄電装置は、前記第２変換部と前記出力部との間に高周波信号を阻止する高周波阻止部を備える構成でもよい。
【００１６】
また、発明の一態様における音響システムでは、前記第１変換部および前記第２変換部は、パワーコンディショナーにより構成されてもよい。
【００１７】
また、発明の一態様における音響システムでは、前記コンセントは、前記負荷である音響装置に接続される専用のコンセントであってもよい。
【００１８】
上記目的を達成するために、本発明の一態様における音響システム用蓄電装置は分電盤から供給された交流電力が入力される入力部と、前記入力部から入力された交流電力を直流電力に変換する第１変換部と、前記第１変換部で変換された直流電力を蓄電する蓄電池と、前記蓄電池に蓄電された直流電力を交流電力に変換する第２変換部と、前記第２変換部で変換された交流電力をコンセントに出力する出力部とを備える。
【発明の効果】
【００１９】
本発明によれば、音響装置による再生時および録音時において音質の改善を図ることができる。
【図面の簡単な説明】
【００２０】
【図１】本発明の実施形態にかかる音響システムの構成を示すブロック図である。
【図２】本発明の実施形態にかかる蓄電池の概略上面図である。
【図３】本発明の実施形態にかかる蓄電池の概略側面図である。
【図４】図２の点線Ｃ−Ｃにおける蓄電池の概略断面図である。
【図５】図３の点線Ｄ−Ｄにおける蓄電池の概略断面図である。
【図６】（ａ）は本発明の実施形態にかかる蓄電池に含まれる正極の概略平面図であり、（ｂ）は（ａ）の点線Ｅ−Ｅにおける概略断面図である。
【図７】本発明の実施形態にかかる蓄電池の放電特性を示す図である。
【発明を実施するための形態】
【００２１】
本発明の実施形態について、図面を用いて、詳細に説明する。なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２２】
図１から図７を用いて、高周波ノイズがコンセントに伝送される環境において、音響装置による再生時および録音時において音質の改善を図るための音響システムおよび音響システム用蓄電装置の構成と動作について説明する。
【００２３】
音響システム１は、図１に示すように、分電盤３と、音響システム用蓄電装置である蓄電装置４と、第１コンセント５と、重要負荷である第１負荷６とを備える。さらに、音響システム１は、図１に示すように、第２コンセント７と、一般負荷である第２負荷８と、リモコン部９と、ＨＵＢ部１０と、ＨＥＭＳ（Ｈｏｍｅ  Ｅｎｅｒｇｙ  Ｍａｎａｇｅｍｅｎｔ  Ｓｙｓｔｅｍ）部１１と、切替部１２とを備える。なお、本実施形態では、太陽光エネルギーを直流電力に変換する太陽電池パネル１３ａと、変換後の直流電力を交流電力に変換する太陽電池ＰＣＳ（パワーコンディショナー）１３ｂとを有する太陽電池システム１３を備えるものとして説明するが、太陽電池システム１３は備えていなくてもよい。太陽電池ＰＣＳ１３ｂは、変換した交流電力を分電盤３と蓄電装置４とに出力する。また、分電盤３、第１コンセント５、第１負荷６、第２コンセント７、第２負荷８、リモコン部９と、ＨＵＢ部１０と、ＨＥＭＳ部１１と、切替部１２とは、屋内に配置される構成要素である。第１コンセント５や第２コンセント７は、例えば、集合住宅であれば各戸の居住空間内の壁などに配置され、戸建住宅のような複数の居住空間を有する場合は、各居住空間の壁などに配置されている。また、第１コンセント５と、第１負荷６と、切替部１２とは、例えば、シアタールームなどに配置される。
【００２４】
分電盤３は、商用電源２からの交流電力が供給される宅内分電盤３ａと、宅内分電盤３ａから供給される交流電力を蓄電装置４に出力し、蓄電装置４から供給された交流電力を第１コンセント５に出力する蓄電池用分電盤３ｂとを備える。
【００２５】
宅内分電盤３ａは、図１に示すように、逆電力検出ＣＴ（Ｃｕｒｒｅｎｔ  Ｔｒａｎｓｆｏｒｍｅｒ）部３１と、ＰＶ（Ｐｈｏｔｏｖｏｌｔａｉｃ）発電検出ＣＴ部３２と、ＥＬＣＢ（Ｅａｒｔｈ  Ｌｅａｋａｇｅ  Ｃｉｒｃｕｉｔ  Ｂｒｅａｋｅｒ）部３３と、ＣＴ部３４と、ＮＦＢ（Ｎｏ  Ｆｕｓｅ  Ｂｒｅａｋｅｒ）部３５と、ＮＦＢ部３６とを備える。
【００２６】
逆電力検出ＣＴ部３１は、売電される交流電力（逆電力）を検出した場合、検出値を蓄電装置４のＰＭＵ部４３に送信する。
【００２７】
ＰＶ発電検出ＣＴ部３２は、太陽電池システム１３による発電量（交流電力量）を検出する。ＰＶ発電検出ＣＴ部３２は、検出した発電量を蓄電装置４のＳＭＵ部４４に送信する。
【００２８】
ＥＬＣＢ部３３は、いわゆる漏電検出器であり、電線路に流れている漏洩電流の検出を行っており、検出した漏洩電流が設定値を超えた場合に電線路を遮断する。
【００２９】
ＣＴ部３４は、逆電力継電器（ＲＰＲ）および需要電力の演算用の電流値を検出する。ＣＴ３４は、検出した電流値をＰＭＵ部４３に送信する。
【００３０】
ＮＦＢ部３５は、ヒューズを用いない配線用遮断器であり、ＭＣＣＢ（Ｍｏｌｄｅｄ  Ｃａｓｅ  Ｃｉｒｃｕｉｔ  Ｂｒｅａｋｅｒ）とも称される。ＮＦＢ部３５は、電線路に流れている電流の検出を行っている。ＮＦＢ部３５は、検出した電流が設定値を超えて過電流となった場合に、内蔵する遮断器をトリップさせることにより、第２コンセント７に接続されている第２負荷８を保護する。
【００３１】
ＮＦＢ部３６は、電線路に流れている電流の検出を行っている。ＮＦＢ部３６は、検出した電流が設定値を超えて過電流となった場合に、内蔵する遮断器をトリップさせることにより、第１コンセント５に接続されている第１負荷６を保護する。
【００３２】
蓄電池用分電盤３ｂは、図１に示すように、ＮＦＢ部３７と、ＥＬＣＢ部３８と、スイッチ部３９とを備える。
【００３３】
ＮＦＢ部３７は、電線路に流れている電流の検出を行っている。ＮＦＢ部３７は、検出した電流が設定値を超えて過電流となった場合に、内蔵する遮断器をトリップさせることにより、後段の蓄電装置４を保護する。
【００３４】
ＥＬＣＢ部３８は、電線路に流れている漏洩電流の検出を行っており、検出した漏洩電流が設定値を超えた場合に電線路を遮断する。
【００３５】
スイッチ部３９は、ＮＦＢ部３６を介して商用電源２から供給される交流電力と、ＥＬＣＢ部３８を介して蓄電装置４から供給される交流電力とを切り替える。スイッチ部３９は、手動による切り替えと、自動による切り替えが行える。自動による切り替えは、ＮＦＢ部３６を介して供給されてくる商用電源２からの交流電力をモニターして停電の有無を検知する機能をスイッチ部３９に持たせてその検知結果に応じてスイッチ部３９の切り替え制御が行われるようにすることで実現できる。また、スイッチ部３９に停電検知の機能を持たせずに、ＮＦＢ部３７を介して供給されてくる商用電源２からの交流電力をモニターして停電の有無を検知しスイッチ部２９の切り替えを指示する機能を蓄電装置４に持たせることでも実現できる。
【００３６】
停電検知機能を持たせたスイッチ部３９に自動による切り替えが設定されている場合、スイッチ部３９が商用電源２の停電を検出した場合、第１コンセント５の接続先を蓄電装置４側に切り替える。例えば、ユーザにより切替部１２がＯＦＦにされた場合、スイッチ部３９は、蓄電装置４側に切り替える。また、蓄電装置４にスイッチ部２９の切り替えを指示する機能を持たせた場合、商用電源２の停電を検知した蓄電装置４がＰＭＵ部４３、ＳＭＵ部４４、ＢＭＵ部４５で構成される制御部にてスイッチ部３９の切り替えを指示する信号をスイッチ部３９へ出力し、その信号を受信したスイッチ部３９は第１コンセント５の接続先を蓄電装置４側に切り替える。
【００３７】
第１コンセント５は、蓄電池用分電盤３ｂを介して蓄電装置４から電源（交流電力）が供給される。第１コンセント５は、詳細は後述するが、停電時、または、音響システム機能が有効なときには、蓄電装置４から交流電力の供給が行われる専用のコンセントである。第１コンセント５は、一または複数で構成される。第１コンセント５は、複数の部屋に配置されてもよいし、一つの部屋（例えば、シアタールームなど）にのみ配置されてもよい。本実施形態においては、オーディオルームなど、音響専門の部屋に配置されるコンセントは全て第１コンセント５とするのが望ましい。
【００３８】
第１負荷６は、第１コンセント５から供給された電力に基づいて動作する装置である。第１負荷６は、一または複数の音響装置で構成されている。音響装置とは、アンプ、マイク、スピーカなどである。また、音響装置には、例えば、オーディオシステムやシアターシステムなどが該当する。オーディオシステムは、ＣＤ（コンパクトディスク）等の記録媒体のディジタル音楽データを再生したり、ディジタル化された音声を記録媒体等へ録音するＣＤ部、チューナー部および電源部などが一体化されたアンプ部と、スピーカ部から構成されている（電源部等から電源供給可能としておけば、ＣＤ部やチューナー部がアンプ部と独立していてもよい）。スピーカ部は、アンプ部にスピーカケーブルによって接続されている。電源部と蓄電装置４とを電源線により接続することにより、蓄電装置４から交流電力が供給され、オーディオシステム全体の動作（ＣＤ部による音楽の録音や再生およびチューナー部によるラジオの視聴など）が可能になる。さらに、アンプ部の専用端子に周辺機器（例えば、マイク、イヤホンなど）を接続して、利用することも可能である。
【００３９】
よって、音響システム１は、蓄電装置４から高周波ノイズを低減した交流電力をオーディオシステムに供給するので、一台の蓄電装置４によりオーディオシステムを構成する複数の構成要素（例えば、ＣＤ部、アンプ部、スピーカ部など）や周辺機器（例えば、マイク、イヤホンなど）すべてに対して高周波ノイズを低減することができ、ノイズの少ない豊かで伸びのある音の再生や録音が可能になる。
【００４０】
また、シアターシステムは、電源部と、アンプ部と、スピーカ部とから構成されている。スピーカ部は、スピーカケーブルによってアンプ部に接続され、電源線によって蓄電装置４に接続されている。また、アンプ部は、電源線によって電源部に接続されている。スピーカ部とアンプ部とは、交流電力が供給されることにより動作が可能になる。
【００４１】
よって、音響システム１は、蓄電装置４からシアターシステムを構成する複数の構成要素（例えば、アンプ部、スピーカ部など）に高周波ノイズを低減した交流電力を供給するので、ノイズが低減された環境においてシアターシステムを動作させることができる。なお、蓄電装置４のコンセントが一つで構成されている場合には、複数の差し込み口（コンセント）を有する電源タップのプラグを蓄電装置４の出力端子に接続し、電源タップの差し込み口にシアターシステムの各構成要素を接続する構成でもよい。
【００４２】
通常時（非停電時）においては、スイッチ部３９が商用電源２側に切り替えられており、第１コンセント５および第２コンセント７には、商用電源２、太陽電池システム１３および蓄電装置４の蓄電池４９から出力される交流電力が一緒になって分電盤３から供給される。また、停電時においては、スイッチ部３９が蓄電装置４側に切り替えられ、第１コンセント５には、出力部５５と蓄電池用分電盤３ｂ（ＥＬＣＢ部３８およびスイッチ部３９）を介して、蓄電装置４の蓄電池４９または太陽電池システム１３から交流電力が供給される。
【００４３】
第２負荷８は、第２コンセント７から供給された電力に基づいて動作する装置である。第２負荷８は、例えば、テレビ、冷蔵庫、エアコンなどの家電製品である。
【００４４】
リモコン部９は、蓄電装置４のＳＭＵ部４４に接続されており、各運転モードへの切り替え（後述するバックアップモードなど）や、パワーコンディショナー４２（双方向インバータ）の整定値などの設定を行う。リモコン部９は、蓄電装置４の運転状況を報知する表示ディスプレイと、蓄電装置４をコントロールするコントローラとを備えている。リモコン部９は、蓄電装置４の蓄電池４９の蓄電量（充電量）の確認や、蓄電（充電）時間および放電時間などの設定を行うことができる。リモコン部９は、例えば、宅内の壁面に設置され、蓄電装置４と壁内の配線で接続される。
【００４５】
ＨＥＭＳ１１は、ＨＵＢ１０を介して蓄電装置４のＳＵＭ部４４に接続されている。ＨＥＭＳ１１は、太陽電池システム１３による再生可能エネルギーや、蓄電装置４の制御等を行う。また、ＨＥＭＳ１１は、電力の使用量などを表示するディスプレイを備えている。
【００４６】
蓄電装置４は、蓄電池４９に所定の電力が蓄電されている場合には、蓄電池４９に蓄電されている電力を分電盤３の蓄電池用分電盤３ｂを介して第１コンセント５に出力し、第１負荷６に供給する。
【００４７】
ここで、商用電源２から供給される交流電力に高周波の電源ノイズ（以下、高周波ノイズという）が重畳される理由について説明する。
【００４８】
発電所で発電された交流電力は、送電線、変電所、配電線などを通り、需要家（家庭、オフィス、工場など）に送電されてくる。発電所から需要家までの送電の過程において、様々な機器から発せられる高周波ノイズの影響により、交流電力（詳細には、交流電流）には高周波ノイズが重畳する。
【００４９】
また、需要家側においては、配電線から引込線により屋内に引き込んだ交流電力は、配電盤、屋内配線などを通り、コンセントに供給される。配電盤からコンセントまで供給される過程において、様々な電気機器から発せられる高周波ノイズの影響により、交流電力には高周波ノイズが重畳する。
【００５０】
電気機器は、コンセントにプラグを差し込み、電源線を介して交流電力の供給を受けるが、このときに交流電力に重畳されている高周波ノイズも取り込んでしまう。
【００５１】
第１負荷６であるアンプで音を増幅するときや、アナログ回路で生成した音声を第１負荷６であるスピーカから出力するときに、高周波ノイズの影響により音質が悪化する。具体的には、高周波ノイズがアナログ回路に入り込むと、音の広がりや奥行き、高さなどの音場感が損なわれ、潤いのない音になってしまう。
【００５２】
本実施形態にかかる音響システム１は、蓄電装置４によって、分電盤３を介して商用電源２から供給された交流電力を直流電力に変換し、変換した直流電力を蓄電池４９に蓄電し、蓄電池４９に蓄電されている直流電力を交流電力に変換し、変換後の交流電力を分電盤３の蓄電池用分電盤３ｂを介して第１コンセント５に供給するので、第１コンセント５に接続される第１負荷６である音響装置に対して、高周波ノイズが低減された交流電力を供給することができ、音響装置による再生時および録音時において音質の改善を図ることができる。特に、第１負荷６である音響装置によって再生される音は、音の広がり、奥行き、および各音域（低音、中音、高温）などの音場感が損なわれることがなく、楽器が奏でる潤いのある豊かな音を得ることができる。また、音響装置によって録音される音は、音の広がり、奥行き、および各音域（低音、中音、高温）などの音場感が損なわれることがなく、楽器が奏でる潤いのある豊かな音を各種メディアに保存することができる。なお、本実施形態では停電状態を検出することでは蓄電装置４からの電力が第１負荷６へ供給可能となる構成のため、ノイズが低減された交流電力が第１コンセント５を介して第１負荷６である音響装置に供給されるのは、商用電源２が停電したときと、切替部１２を開状態にして停電状態にしたときである。ただし、これに限らず、停電を検知する代わりに、第１コンセント５の電力量をモニターし、第１負荷６での電力消費があることを検出することで蓄電装置４からの電力が第１負荷６へ供給可能となるようスイッチ部３９を切り替えるようにしてもよい。
【００５３】
ここで、蓄電装置４の構成について説明する。蓄電装置４は、図１に示すように、入力部４１と、第１変換部と第２変換部であるパワーコンディショナー４２と、ＰＭＵ（Ｐｈａｓｏｒ  Ｍｅａｓｕｒｅｍｅｎｔ  Ｕｎｉｔ）部４３と、ＳＭＵ（Ｓｏｕｒｃｅ  Ｍｅａｓｕｒｅｍｅｎｔ  Ｕｎｉｔ）部４４と、ＢＭＵ（Ｂａｔｔｅｒｙ  Ｍａｎａｇｅｍｅｎｔ  Ｕｎｉｔ）部４５と、ヒューズ４６と、リレー４７と、継電器４８と、蓄電池４９と、ＣＭＵ（Ｃｅｌｌ  Ｍｏｎｉｔｏｒｉｎｇ  Ｕｎｉｔ）部５０と、継電器５１と、ＣＴ部５２と、ＣＴ部５３と、リレー５４と、出力部５５とを備える。
【００５４】
入力部４１は、分電盤３の蓄電池用分電盤３ｂから供給された交流電力が入力される。入力部４１は、保守用の手動スイッチ部４１ａと、溶着検知付のリレー４１ｂと、リレー４１ｃとを備える。リレー４１ｂとリレー４１ｃとは、解列装置を構成している。なお、手動スイッチ部４１ａは、常時ＯＮ（閉状態）になっている。
【００５５】
パワーコンディショナー４２は、入力部４１から入力された交流電力を直流電力に変換し、蓄電池４９に蓄電されている直流電力を交流電力に変換する。パワーコンディショナー４２は、例えば、双方向インバータと、双方向コンバータとにより構成されている。双方向インバータと双方向コンバータの間には、平滑コンデンサが接続されている。
【００５６】
パワーコンディショナー４２は、ＩＧＢＴ（絶縁ゲートバイポーラトランジスタ）等のスイッチング素子により構成されており、放電時において、ＰＭＵ部４３による制御信号（例えば、ＰＷＭ（パルス幅変調）信号）に基づいて、蓄電池４９から出力された直流電力を交流電力に変換し、変換後の交流電力を出力部５４に出力する。また、パワーコンディショナー４２は、蓄電（充電）時において、ＰＭＵ部４３による制御信号に基づいて、入力部４１から入力された交流電力を直流電力に変換し、変換後の直流電力を蓄電池４９に蓄電する。
【００５７】
ＰＭＵ部４３は、ＳＭＵ部４４とリモコン部９との間で通信を行い、パワーコンディショナー４２を制御する。また、ＰＭＵ部４３は、逆電力検出ＣＴ部３１から送信されてきた検出値に基づいて、系統が異常かどうかを判断し、異常の場合には、逆潮流を防止するために、解列装置を制御して蓄電装置４を系統から解列する。
【００５８】
ＳＭＵ部４４は、ＰＭＵ部４３と、ＢＭＵ部４５と、リモコン部９との間で通信を行って情報を収集し、蓄電装置４全体を制御する。
【００５９】
ＢＭＵ部４５は、蓄電池４９に内蔵されているＣＭＵ部５０の情報に基づいて、蓄電池４９のセル電圧およびセル温度を取得し、蓄電池４９の状態の判定および蓄電池４９の残量（ＳＯＣ，Ｓｔａｔｅ  Ｏｆ  Ｃｈａｒｇｅ）の演算を行う。ＢＭＵ部４５は、蓄電池４９の異常を検出した場合には、リレー４７を開状態に切り替えて、蓄電池４９を解列させる。
【００６０】
ヒューズ４６は、定格以上の電流が流れると溶断し、配線を遮断する。ヒューズ４６が溶断することにより、蓄電池４９を保護することができる。なお、ヒューズ４６は、バイメタルで構成されてもよい。
【００６１】
リレー４７は、ＢＭＵ部４５により状態が制御され、蓄電池４９を充放電する場合には、閉状態に切り替え、蓄電池４９を充放電しない場合には、開状態に切り替える。
【００６２】
継電器４８および継電器５１は、配線の短絡や過負荷による過電流を変流器（ＣＴ）により検出し、過電流の大きさに基づいて動作し、蓄電池４９を保護する。
【００６３】
蓄電池４９は、パワーコンディショナー４２により変換された直流電力を蓄電する。蓄電池４９は、例えば、リチウムイオン電池である。蓄電池４９の正極材料は、例えば、リン酸鉄リチウム（ＬｉＦｅＰＯ４）により構成されている。また、蓄電池４９の負極材料は、例えば、グラファイトにより構成されている。リン酸鉄リチウムは、他の材料（例えば、コバルト系）に比べて、高温下でも酸素を放出しないため、安全性が高く、結晶構造が強固で長寿命などの特徴がある。よって、蓄電装置４は、例えば、夏場などにおいて、炎天下でも使用することができる。
【００６４】
ここで、蓄電池４９の構成について図２から図６を用いて詳述する。図２は、蓄電池４９の概略上面図であり、図３は、蓄電池４９の概略側面図である。また、図４は、図２の点線Ｃ−Ｃにおける蓄電池４９の概略断面図であり、図５は、図３の点線Ｄ−Ｄにおける蓄電池４９の概略断面図である。また、図６（ａ）は、蓄電池４９に含まれる正極の概略平面図であり、図６（ｂ）は図６（ａ）の点線Ｅ−Ｅにおける正極の概略断面図である。
【００６５】
蓄電池４９は、非水電解液二次電池であり、負極１０１と、正極１０２と、負極１０１と正極１０２とに挟まれたセパレータ１０３と、有機電解液と、負極１０１と正極１０２とセパレータ１０３と有機電解液とを収容する電池ケース１０４と、正極接続端子１０５と、負極接続端子１０６とを備える。正極１０２は、正極接続端子１０５と電気的に接続する。負極１０１は、負極接続端子１０６と電気的に接続する。
【００６６】
以下、蓄電池４９の負極１０１以外の構成要素について説明する。正極１０２は、正極集電体１０７の上に正極活物質層１０８が設けられた構造を有することができる。
【００６７】
正極集電体１０７は、電気伝導性を有し、表面上に正極活物質層１０８を備えることができれば、特に限定されないが、例えば、金属箔である。好ましくはアルミニウム箔である。
【００６８】
正極活物質層１０８は、正極集電体１０７の上に設けられ、正極活物質と導電剤とバインダーとを含むことができる。
【００６９】
正極活物質層１０８は、正極活物質と導電剤とバインダーを混合してなるスラリーを正極集電体１０７上に塗布し、乾燥させることにより形成することができる。
【００７０】
正極活物質層１０８に含まれる正極活物質としては、リチウムイオン二次電池に汎用されているものが使用可能であり、例として、リン酸鉄リチウム（ＬｉＦｅＰＯ４）である。
【００７１】
導電剤としては、アセチレンブラック、ファーネスブラック、カーボンブラックから選ばれるカーボンを使用することができる。
【００７２】
正極１０２の作製時に、正極集電体１０７と正極活物質及び導電剤を結着させるのにバインダーを使用する。バインダーとしては、有機溶剤に溶かして用いるポリフッ化ビニリデン（ＰＶｄＦ）、ポリテトラフルオロエチレン（ＰＴＦＥ）等の有機溶剤系バインダーや、水に分散可能であるスチレン・ブタジエンゴムや、メチル（メタ）アクリレート、エチル（メタ）アクリレート、ブチル（メタ）アクリレート、（メタ）アクリロニトリル、ヒドロキシエチル（メタ）アクリレート等のエチレン性不飽和カルボン酸エステルや、アクリル酸・メタクリル酸・イタコン酸・フマル酸・マレイン酸等のエチレン性不飽和カルボン酸や、カルボキシメチルセルロース（ＣＭＣ）等の水系ポリマーが例示でき、これらを一種または二種以上混合して用いることができる。バインダーを溶かす溶剤としては、ジメチルホルムアミド、Ｎ−メチルピロリドン、イソプロパノール、トルエン、水等があり、これらを一種または二種以上適宜必要に応じて選択すればよい。
【００７３】
セパレータ１０３としては、例えば、ポリエチレンやポリプロピレンなどのポリオレフィンを主成分とした不織布、クロス、微孔フィルム等が用いられる。
【００７４】
蓄電池４９に含まれる有機電解液の有機溶媒としては、例えば、エーテル類、ケトン類、ラクトン類、スルホラン系化合物、エステル類、カーボネート類などが挙げられる。これらの代表例としては、テトラヒドロフラン、２−メチル−テトラヒドロフラン、γ−ブチルラクトン、アセトニトリル、ジメトキシエタン、ジエチルカーボネイト、プロピレンカーボネイト、エチレンカーボネイト、ジメチルスルホキシド、スルホラン、３−メチル−スルホラン、酢酸エチル、プロピオン酸メチルなど、あるいはこれらの混合溶媒を挙げることができる。
【００７５】
蓄電池４９に含まれる有機電解液の電解質は特に限定されるものではないが、ＬｉＢＦ４、ＬｉＡｓＦ６、ＬｉＰＦ６、ＬｉＣｌＯ４等を用いることができる。
【００７６】
また、有機電解液には、必要に応じて添加剤も加えることができる。添加剤は充放電特性向上の観点から、不飽和結合またはハロゲン原子を有する環状カーボネート及びＳ＝Ｏ結合含有化合物から選ばれる一種以上を併用することが好ましい。
【００７７】
不飽和結合またはハロゲン原子を有する環状カーボネートとしては、ビニレンカーボネート、フルオロエチレンカーボネート、及びビニルエチレンカ−ボネートが挙げられる。
【００７８】
また、蓄電池４９は、正極接続端子１０５、負極接続端子１０６、外部接続端子１０９、ねじ部材１１０を、内部絶縁部材１１１、外部絶縁部材１１２、パッキン１１３を介して蓋部材１１４に取り付け、端子付き電池蓋を作成する。
【００７９】
また、正極１０２および負極１０１がセパレータ１０３を挟んで交互に積層するように発電要素１１５を作成する。
【００８０】
そして、正極１０２の正極集電体１０７と正極接続端子１０５とを接続し、負極１０１の負極集電体と負極接続端子１０６とを接続することにより、発電要素１１５を端子付き電池蓋に接続する。この発電要素１１５が接続された電池蓋を、有機電解液が入った電池ケース１０４と組み合わせ、蓋部材１１４と電池ケース１０４とを接合することにより蓄電池４９を製造することができる。
【００８１】
このようにして、蓄電池４９は、正極１０２および負極１０１がセパレータ１０３を挟んで交互に積層する方式（スタック（積層）方式）を採用することによって、リン酸鉄リチウムの厚塗りを実現し、エネルギー密度を上げることができる。
【００８２】
また、正極材料がリン酸鉄リチウム（ＬｉＦｅＰＯ４）により構成され、負極材料がグラファイトにより構成されていることにより、蓄電池４９の放電特性は、図７に一例を示すように、ＤＯＤ（Ｄｅｐｔｈ  ｏｆ  ｄｉｓｃｈａｒｇｅ：電気容量に対して、放電した電気量を比率で表したもの。放電深度ともいう。）が変化しても、電池電圧はほとんど変化がないことがわかる。したがって、通常使用領域では放電初期でも放電終期でも電圧がほぼ一定であり、蓄電池４９の残容量によらず、負荷５に安定した電圧を供給することができる。パワーコンディショナー４２は、図７に示すように、放電時の電圧が使用領域において、フラットで安定した直流電力が蓄電池４９から供給されるため、ノイズの少ない交流電力に変換することができる。
【００８３】
ＣＭＵ部５０は、蓄電池４９のセル電圧および温度を計測し、計測した電圧値と温度をＢＭＵ部４５に送信する。また、ＣＭＵ部５０は、ＢＭＵ分４５からの指令に基づいて、セルバランサー回路を動作させる。蓄電池４９は、複数個の２次電池セルが直列に接続されている。セルバランサー回路は、各電池セルのエネルギー容量を均一化する機能を有する。
【００８４】
ＣＴ部５２は、電流を検出し、検出した電流値をＢＭＵ部４５に送信する。ＢＭＵ部４５は、ＣＴ部５２から送信されてきた電流値が設定値を超えた場合、リレー４７を開状態に切り替える。
【００８５】
ＣＴ部５３は、電流を検出し、検出した電流値をＰＭＵ部４３に送信する。ＰＭＵ部４５は、ＣＴ部５２から送信されてきた電流値に基づいて、パワーコンディショナー４２を制御する。
【００８６】
リレー５４は、太陽電池システム１３により生成された交流電力を蓄電装置４に供給する場合には、閉状態に切り替え、太陽電池システム１３により生成された交流電力を蓄電装置４に供給しない場合には、開状態に切り替える。
【００８７】
出力部５５は、パワーコンディショナー４２で変換された交流電力を分電盤３の蓄電池用分電盤３ｂを介して第１コンセント５に出力する。出力部５５は、保守用の手動スイッチ部５５ａと、リレー５５ｂとを備える。なお、手動スイッチ部５５ａは、常時ＯＮ（閉状態）になっている。
【００８８】
また、蓄電装置４は、蓄電池４９に蓄電されている直流電力をパワーコンディショナー４２で交流電力に変換し、変換後の交流電力を分電盤３の蓄電池用分電盤３ｂと第１コンセント５を介して第１負荷６である音響装置に優先的に供給するモード（以下、音響システムモード）と、その他のモード（詳細は後述するバックアップモード、ピークシフトモードおよびＰＶ（Ｐｈｏｔｏｖｏｌｔａｉｃ）モード）を有している。
【００８９】
例えば、切替部１２がユーザの操作によってＯＦＦに切り替えられると、音響システムモードが設定され、スイッチ部３９は、蓄電装置４から交流電力が供給されるようにスイッチの切り替えを行う。また、切替部１２がユーザの操作によってＯＮに切り替えられると、音響システムモードが解除され、スイッチ部３９は、商用電源２から交流電力が供給されるようにスイッチの切り替えを行う。また、その他のモードは、切替部１２がＯＮに切り替えられる状態において、リモコン部９の操作によって設定される。
【００９０】
このような構成によれば、音響システム１は、高周波ノイズが屋内配線を介して伝送されていても、商用電源２から供給された交流電力をパワーコンディショナー４２で直流電力に変換し、変換後の直流電力を蓄電池４９に蓄電し、蓄電池４９に蓄電されている直流電力をパワーコンディショナー４２で交流電力に変換し、変換後の交流電力を分電盤３の蓄電池用分電盤３ｂを介して第１コンセント５に供給するので、第１コンセント５に接続される第１負荷６である音響装置に対して、高周波ノイズが低減された交流電力を供給することができ、音響装置による再生時および録音時において音質の改善を図ることができる。また、音響システム１は、蓄電装置４にパワーコンディショナー４２を備えるので、電力損失の低減化や高効率化などを図ることができる。蓄電装置４は、第１負荷６である音響装置に内蔵されるものでなく室外に配置することができるので、供給できる電力量を大きくした蓄電装置４から長時間に渡って高周波ノイズの影響を低減した電力を第１コンセント５から第１負荷６へ容易に供給できる。さらに、蓄電装置４からの出力は、第１コンセント５が複数であってもその複数個所へ電力供給可能とすることで複数の第１負荷６に対して高周波ノイズの影響を低減した電力を供給することができる。特に、オーディオルームのような音響専用の部屋のコンセント全てを第１コンセント５としておくと、オーディオルームのどのコンセントに接続しても高周波ノイズの影響を低減した電力を得ることができる。よって、オーディオルーム内では、複数の音響装置（第１負荷６）は近くに配置されているコンセントに接続すれば高周波ノイズの影響を低減した電力を確実に得ることができる。
【００９１】
また、蓄電装置４から第１コンセント５に供給される交流電力の電圧値と周波数（商用電源周波数）は、商用電源２から供給される交流電力の電圧値と周波数と同一の範囲内である。同一の範囲内とは、同一の値と、同一とみなせる範囲内の値を含む概念である。
【００９２】
商用電源２から供給される交流電力の電圧値（実効値）は、例えば、１００（Ｖ）または２００（Ｖ）である。また、発電所で発電された電圧は、家庭のコンセントまで供給されるときに、電圧降下などの影響により変動する。例えば、コンセントから出力される１００（Ｖ）の交流電圧は、数パーセント（９１（Ｖ）〜１０７（Ｖ））の範囲で変動することがある。よって、以下では、「約１００（Ｖ）」という表現は、数パーセントの範囲で変動する電圧値も含む概念である。また、商用電源周波数は、例えば、５０（Ｈｚ）または６０（Ｈｚ）である。なお、商用電源周波数も数パーセントの範囲で変動することがある。よって、以下では、「約５０（Ｈｚ）」という表現は、数パーセントの範囲で変動する周波数も含む概念である。
【００９３】
蓄電装置４は、例えば、商用電源２から供給される交流電力の電圧値が約１００（Ｖ）であり周波数が約５０Ｈｚである場合、蓄電装置４から分電盤３の蓄電池用分電盤３ｂを介して第１コンセント５に出力される交流電力の電圧値は、約１００（Ｖ）であり、周波数は、約５０（Ｈｚ）である。
【００９４】
このような構成によれば、音響システム１は、蓄電装置４から分電盤３の蓄電池用分電盤３ｂを介して第１コンセント５に出力される交流電力の電圧値と周波数が、商用電源２から供給される交流電力の電圧値と周波数と同一の範囲内であるので、商用電源２から供給される交流電力と同等の電圧値と周波数であって、高周波ノイズの影響が低減された交流電力を第１負荷６である音響装置に供給することができ、音響装置に設計変更を行う必要がなく、また、音響装置による再生時および録音時において音質の改善を図ることができる。
【００９５】
また、蓄電装置４は、蓄電池４９に所定の電力が蓄電されていない場合には、商用電源２から供給された電力を分電盤３の蓄電池用分電盤３ｂを介して第１コンセント５に供給する構成でもよい。
【００９６】
具体的には、ＢＭＵ部４５は、ＣＭＵ部５０の情報に基づいて、蓄電池４９の蓄電（充電）量を検出し、蓄電量が所定の第１閾値を下回わり、放電限界として定めた第２閾値（＜第１閾値）に到達している場合には、蓄電池４９に所定の電力が蓄電されていないと判断し、その旨をＳＭＵ部４４に送信する。ＳＭＵ部４４は、例えば、リレー５５ｂを開状態に切り替える。なお、スイッチ部３９は、商用電源２側に切り替えられており、第１負荷６には、商用電源２の交流電力が供給される。
【００９７】
また、蓄電装置４は、商用電源２から供給された交流電力を第１負荷６に供給しながら、蓄電池４９を蓄電する構成でもよい。当該構成の場合、手動スイッチ部４１ａと、リレー４１ｂと、リレー４１ｃと、リレー４７とは、閉状態にしておく。蓄電池４９は、パワーコンディショナー４２から供給される直流電力を蓄電する。この場合、ＣＭＵ部５０は、蓄電池４９の蓄電量を所定の間隔で検出し、検出した充電量をＢＭＵ部４５に送信する。ＢＭＵ部４５は、蓄電池４９の蓄電量が、再度放電をした際にすぐに放電限界である第２閾値とならないよう第２閾値より所定量大きな値の第１閾値を上回っていると判断した場合には、その旨をＳＭＵ部４４に送信する。ＳＭＵ部４４は、例えば、リレー５５ｂを閉状態に切り替える。よって、パワーコンディショナー４２により変換された交流電力が分電盤３の蓄電池用分電盤３ｂと第１コンセント５を介して第１負荷６に供給される。なお、第１閾値を満充電時の蓄電量としてもよい。
【００９８】
このような構成によれば、音響システム１は、蓄電池４９に十分な電力が蓄電されていない場合でも第１負荷６に対して常に電力を供給することができ、第１負荷６を安定して動作させることができる。また、音響システム１は、蓄電池４９に十分な電力が蓄電された場合には、蓄電池４９から出力された直流電力をパワーコンディショナー４２で交流電力に変換し、変換後の交流電力を出力部５５に出力するので、高周波ノイズの影響が低減された交流電力を分電盤３の蓄電池用分電盤３ｂと第１コンセント５を介して第１負荷６に供給することができ、第１負荷６である音響装置による再生時および録音時において音質の改善を図ることができる。
【００９９】
また、蓄電装置４は、蓄電池４９に所定の電力が蓄電されていない場合には、分電盤３の蓄電池用分電盤３ｂを介して第１コンセント５に交流電力を供給しない構成でもよい。
【０１００】
具体的には、ＢＭＵ部４５は、ＣＭＵ部５０の情報に基づいて、蓄電池４９の蓄電（充電）量を検出し、蓄電量が所定の第１閾値を下回わり、放電限界として定めた第２閾値（＜第１閾値）に到達している場合には、蓄電池４９に所定の電力が蓄電されていないと判断し、その旨をＳＭＵ部４４に送信する。ＳＭＵ部４４は、例えば、リレー５５ｂを開状態に切り替える。なお、スイッチ部３９は、蓄電装置４側に切り替えられており、第１負荷６には、交流電力が供給されない。
【０１０１】
また、蓄電装置４は、第１負荷６に対する交流電力の供給を停止しながら、蓄電池４９を蓄電する構成でもよい。当該構成の場合、手動スイッチ部４１ａと、リレー４１ｂと、リレー４１ｃと、リレー４７とは、閉状態にしておく。蓄電池４９は、パワーコンディショナー４２から供給される直流電力を蓄電する。この場合、ＣＭＵ部５０は、蓄電池４９の蓄電量を所定の間隔で検出し、検出した充電量をＢＭＵ部４５に送信する。ＢＭＵ部４５は、蓄電池４９の蓄電量が、再度放電をした際にすぐに放電限界である第２閾値とならないよう第２閾値より所定量大きな値の第１閾値を上回っていると判断した場合には、その旨をＳＭＵ部４４に送信する。ＳＭＵ部４４は、リレー５５ｂを閉状態に切り替える。よって、パワーコンディショナー４２により変換された交流電力が分電盤３の蓄電池用分電盤３ｂと第１コンセント５を介して第１負荷６に供給される。なお、第１閾値を満充電時の蓄電量としてもよい。
【０１０２】
このような構成によれば、音響システム１は、蓄電池４９に十分な電力が蓄電されていない場合には、第１負荷６に対して電力を供給せず、蓄電池４９に十分な電力が蓄電されている場合に、第１負荷６に対して電力を供給する。よって、音響システム１は、常に、高周波ノイズの影響が低減された交流電力を第１負荷６に供給することができ、第１負荷６である音響装置による再生時および録音時において音質の改善を図ることができる。
【０１０３】
また、蓄電装置４は、図１に示すように、パワーコンディショナー４２と出力部５５との間に高周波信号を阻止する高周波阻止部５６を備える構成でもよい。高周波阻止部５６は、例えば、フェライトビーズである。パワーコンディショナー４２から出力された交流電力に高周波ノイズが重畳している場合、交流電力がフェライトビーズを通過する過程において、高周波ノイズを低減することができる。高周波ノイズは、広帯域にわたって分布している。高周波ノイズの低域部分は、フェライトビーズが有するインダクタ（コイル）成分が反射して阻止される。また、高周波ノイズの高域部分は、フェライトビーズが有する抵抗成分が熱に変換して除去される。このようにしておくことで、蓄電装置４の蓄電池４９に所定の電力が蓄電されていない時など、入力部４１へ供給された交流電力を出力部５５を介して第１負荷６に供給する場合でも高周波ノイズを低減した交流電力を第１負荷６へ供給することができる。
【０１０４】
つぎに、リモコン部９によりその他のモードが選択されている場合における蓄電装置４の動作について説明する。
【０１０５】
蓄電装置４が電源ＯＦＦ時には、スイッチ４１ｂおよびスイッチ４７ｃが開状態であり、分電盤３を介して商用電源２から供給された交流電力がそのまま分電盤３の蓄電池用分電盤３ｂを介して第１負荷６に出力される。また、蓄電装置４に太陽電池システム１３が接続されており、蓄電装置４が電源ＯＦＦ時には、蓄電池４９の過充電を防ぐため、リレー４７は、開状態になっている。
【０１０６】
また、電源がＯＮ時の場合には蓄電装置４は、その他のモードとして、バックアップモード、ピークシフトモードおよびＰＶ（Ｐｈｏｔｏｖｏｌｔａｉｃ）モードを設定することができる。
【０１０７】
バックアップモードとは、常時、蓄電池４９を満充電に保ち、停電等には蓄電池４９から電力を出力するモードである。蓄電装置４は、非停電時には、リレー４１ｃ、リレー４７を閉状態とし、蓄電池４９を満充電まで充電しつつ、スイッチ部３９を商用電源２側に切り替えて、分電盤３の蓄電池用分電盤３ｂと第１コンセント５を介して商用電源２から供給された交流電力が第１負荷６に出力される。また、蓄電装置４は、蓄電池４９が満充電になったら充電停止（リレー４７は開状態）にする。また、蓄電装置４は、停電発生時には、リレー４７を閉状態にし、蓄電池４９からの直流電力をパワーコンディショナー４２で交流電力に変換し、変換後の交流電力を出力部５５に供給する。
【０１０８】
ピークシフトモードとは、料金の安価な夜間の電力で蓄電池４９を充電し、日中の電力消費量の高い時間帯に蓄電池４９からの電力を出力するモードである。蓄電装置４は、予め設定された夜間の時間帯にリレー４１ｃおよびリレー４７を閉状態にして蓄電池４９に直流電力を蓄電する。蓄電装置４は、予め設定された日中の電力消費の高い時間帯にリレー４１を開状態にし、リレー４７とリレー５５ａを閉状態にして蓄電池４９に蓄電した電力をパワーコンディショナー４２を介して交流電力に変換して出力部５５から出力する。
【０１０９】
ＰＶモードとは、太陽光発電モードであって、太陽電池システム１３からの電力で蓄電池４９に蓄電し、蓄電した電力を蓄電池４９から出力するモードである。ＰＶモードでは、ＰＶ発電検出部３２を介して太陽電池システム１３から交流電力が供給される。なお、停電時のＰＶモードでは、蓄電装置４は、リレー５４およびリレー４７を閉状態にし、太陽電池システム１３から入力される電力で蓄電池４９を充電する。蓄電池４９に充電した電力は、出力部５５から分電盤３の蓄電池用分電盤３ｂと第１コンセント５を介して第１負荷６に出力される。また、蓄電装置４は、ＰＶ発電量よりも第１負荷６による消費量が小さい場合（ＰＶ発電量＞負荷）、余剰電力で蓄電池４９を充電する。また、蓄電装置４は、ＰＶ発電量よりも第１負荷６による消費量が大きい場合（ＰＶ発電量＜負荷）、不足分を蓄電池４９から補充する。なお、蓄電装置４が、蓄電池４９に所定の電力が蓄電されていない場合に第１負荷６に電力を供給しない構成において、前述したような、蓄電池４９への充電は入力部４１からの電力に基づくものとするほかに、蓄電池４９の充電を太陽電池システム１３からの電力に基づくものとすることも可能である。例えば、蓄電装置４のＰＭＵ部４３、ＳＭＵ部４４、ＢＭＵ部４５で構成される制御部で太陽電池システム１３の発電量をモニターし、太陽電池１３ａが発電していることを検知している場合に、リレー５４とリレー４７を閉状態に切り替える。これにより、蓄電池４９は、太陽電池システム１３から供給される交流電力をパワーコンディショナー４２を介して蓄電する。この場合、蓄電装置４の制御部は、蓄電池４９の蓄電量を所定の間隔で検出する。蓄電装置４の制御部は、蓄電池４９の蓄電量が、再度放電をした際にすぐに放電限界である第２閾値とならないよう第２閾値より所定量大きな値の第１閾値を上回っていると判断した場合には、リレー５４を開状態に、リレー５５ａを閉状態にそれぞれ切り替え、パワーコンディショナー４２からの交流電力を出力部５５を介して第１負荷６に供給する。なお、第１閾値を満充電時の蓄電量としてもよい。このような機能は、ＰＶモードにおける機能の１つとしてもよいし、ＰＶモードとは別のモードとしてもよい。
【０１１０】
このようにして、音響システム１は、その他のモードにおいて、商用電源２が停電していない場合には、スイッチ部３９を商用電源２側に切り替えて、分電盤３の蓄電池用分電盤３ｂと第１コンセント５を介して商用電源２から供給された交流電力を第１負荷６に出力したり、バックアップモード、ピークシフトモードおよびＰＶモードに基づいて交流電力を第１負荷６に供給し、商用電源２が停電している場合には、スイッチ部３９を蓄電装置４側に切り替えて、蓄電池４９に蓄電されている直流電力をパワーコンディショナー４２で変換し、変換後の交流電力を分電盤３の蓄電池用分電盤３ｂと第１コンセント５を介して第１負荷６に出力することができる。
【符号の説明】
【０１１１】
１  音響システム、２  商用電源、３  分電盤、３ａ  宅内分電盤、３ｂ  蓄電池用分電盤、４  蓄電装置、５  第１コンセント、６  第１負荷、７  第２コンセント、８  第２負荷、９  リモコン部、１０  ＨＵＢ部、１１  ＨＥＭＳ部、１２  切替部、１３  太陽電池システム、１３ａ  太陽電池パネル、１３ｂ  太陽電池ＰＣＳ、３１  逆電力検出ＣＴ部、３２  ＰＶ発電検出ＣＴ部、３３，３８  ＥＬＣＢ部、３４，５２，５３  ＣＴ部、３５，３６，３７  ＮＦＢ部、３９  スイッチ部、４１  入力部、４２  パワーコンディショナー、４３  ＰＭＵ部、４４  ＳＭＵ部、４５  ＢＭＵ部、４６  ヒューズ、４７，５４  リレー、４８，５１  継電器、４９  蓄電池、５０  ＣＭＵ部、５５  出力部、５６  高周波阻止部
【図１】
2017211919.tif 000003
【図２】
2017211919.tif 000004
【図３】
2017211919.tif 000005
【図４】
2017211919.tif 000006
【図５】
2017211919.tif 000007
【図６】
2017211919.tif 000008
【図７】
2017211919.tif 000009